(57)【特許請求の範囲】
【請求項１】
遊技球を払い出すための遊技球払出装置と、
前記遊技球払出装置から払い出された貸出球としての遊技球が流下する球貸経路と、
前記球貸経路に配置され、当該球貸経路を流下する貸出球としての遊技球を計数するための貸出球計数装置と、
前記遊技球払出装置、前記貸出球計数装置に接続され、遊技を制御するための遊技制御装置とを備える遊技機において、
前記遊技機には、
電源供給装置からの電源の供給が遮断されたことを検出し、電断信号を出力するための電断検出手段と、
前記球貸経路に配置され、前記遊技球払出装置と前記貸出球計数装置との間に位置し、前記電断検出手段からの前記電断信号の入力を条件に、前記遊技球払出装置から払い出された貸出球としての遊技球が前記球貸計数装置に向かって流下するのを阻止する遊技球流下阻止装置とを備えていることを特徴とする遊技機。
【請求項２】
前記遊技制御装置には、
前記遊技球流下阻止装置の阻止動作の前に、前記遊技球払出装置から払い出された貸出球としての遊技球が、前記貸出球計数装置により計数される迄の間、当該貸出球計数装置の計数動作を維持するための貸出球計数装置制御手段を備えていることを特徴とする請求項１に記載の遊技機。
【請求項３】
前記遊技制御装置には、
前記電源供給装置からの電源の供給が再開された後、前記貸出球計数装置による計数が可能となる迄の間、前記遊技球流下阻止装置の阻止状態を維持させるための遊技球流下阻止制御手段を備えていることを特徴とする請求項１又は請求項２に記載の遊技機。
【請求項４】
前記遊技制御装置には、
前記遊技球流下阻止装置を阻止状態とし、前記遊技球払出装置の払出動作に連動させて、前記阻止状態を解除するための遊技球流下阻止制御手段を備えていることを特徴とする請求項１〜３のいずれか１項に記載の遊技機。
【請求項５】
前記遊技球流下阻止装置には、
前記球貸経路を遮断する球貸経路遮断装置を備えていることを特徴とする請求項１〜４のいずれか１項に記載の遊技機。
【請求項６】
前記遊技球流下阻止装置には、
前記球貸経路を遮断するとともに、前記遊技球払出装置から払い出された貸出球としての遊技球を、当該球貸経路外に排出する阻止貸出球排出装置を備えていることを特徴とする請求項１〜５のいずれか１項に記載の遊技機。
【請求項７】
遊技機には、
賞球としての遊技球を払い出すための賞球払出装置と、
前記賞球払出装置から払い出された賞球としての遊技球が流下する賞球経路と、
前記賞球経路に配置され、当該賞球経路を流下する賞球としての遊技球を計数するための賞球計数装置と、
前記賞球経路に配置され、前記賞球払出装置と前記賞球計数装置との間に位置し、前記電断検出手段からの前記電断信号の入力を条件に、前記賞球払出装置から払い出された賞球としての遊技球が前記賞球計数装置に向かって流下するのを阻止する賞球流下阻止装置とを備えていることを特徴とする請求項１〜６のいずれか１項に記載の遊技機。
【請求項８】
前記賞球流下阻止装置には、
前記賞球経路を遮断する賞球経路遮断装置を備えていることを特徴とする請求項７に記載の遊技機。
【請求項９】
前記賞球流下阻止装置には、
前記賞球経路を遮断するとともに、前記遊技球払出装置から払い出された賞球としての遊技球を、当該賞球経路外に排出する阻止賞球排出装置を備えていることを特徴とする請求項７又は請求項８に記載の遊技機。
【請求項１０】
前記阻止貸出球排出装置と、前記阻止賞球排出装置とは、貸出球としての遊技球と、賞球としての遊技球とを共通の排出路に排出するようにしていることを特徴とする請求項９に記載の遊技機。
【請求項１１】
前記電断検出手段は、前記遊技制御装置に内蔵されていることを特徴とする請求項１〜１０のいずれか１項に記載の遊技機。
【請求項１２】
前記電断検出手段は、前記電源供給装置に内蔵されていることを特徴とする請求項１〜１０のいずれか１項に記載の遊技機。
【発明の詳細な説明】
【０００１】
【発明の属する技術分野】
この発明は、例えばパチンコ機等の遊技機に関し、例えば停電時等の電断発生時において、貸出球の貸し出しの確実な中止を実現することができるようにしたものである。
【０００２】
【従来の技術】
従来、球貸し制御時に電断が発生すると、遊技球払出装置の駆動モータが停止していた。
【０００３】
【発明が解決しようとする課題】
しかし、上記した従来の駆動モータは、即時に停止せず、貸出球が貸し出されてしまうことがあった。
上記排出は、遊技機側で感知できないので、電断復帰後に感知できなかった分、余計な排出をすることになり、確実な個数の貸出球の貸し出しができないという第一の問題点があった。
【０００４】
また、従来の技術では、遊技球払出装置を不正に駆動された場合でも、貸出球経路に貸出球を止める若しくは、その他の経路に排出するという機構が備わっていないため、その不正な貸出球の貸し出しを防止することができないという第二の問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、電断発生時において、貸出球の貸し出しの確実な中止を実現することができるようにしたものである。
（請求項２）
請求項２に記載の発明は、上記した請求項１に記載の発明の目的に加え、次の点を目的とする。
【０００５】
すなわち、請求項２に記載の発明は、電断発生時において、貸出球の計数値と、実際に貸し出された貸出球の数とを一致させることができるようにしたものである。
（請求項３）
請求項３に記載の発明は、上記した請求項１又は請求項２に記載の発明の目的に加え、次の点を目的とする。
【０００６】
すなわち、請求項３に記載の発明は、電断復帰後においても、貸出球の計数値と、実際に貸し出された貸出球の数とを一致させることができるようにしたものである。
（請求項４）
請求項４に記載の発明は、上記した請求項１〜３のいずれか１項に記載の発明の目的に加え、次の点を目的とする。
【０００７】
すなわち、請求項４に記載の発明は、不正に貸出球が貸し出されるのを未然に防止することができるようにしたものである。
（請求項５）
請求項５に記載の発明は、上記した請求項１〜４のいずれか１項に記載の発明の目的に加え、次の点を目的とする。
【０００８】
すなわち、請求項５に記載の発明は、貸出球経路を遮断することで、貸出球としての遊技球の流下を阻止することができるようにしたものである。
（請求項６）
請求項６に記載の発明は、上記した請求項１〜５のいずれか１項に記載の発明の目的に加え、次の点を目的とする。
【０００９】
すなわち、請求項６に記載の発明は、貸出球としての遊技球を球貸経路外に排出することで、貸出球としての遊技球の流下を阻止することができるようにしたものである。
（請求項７）
請求項７に記載の発明は、上記した請求項１〜６のいずれか１項に記載の発明の目的に加え、次の点を目的とする。
【００１０】
すなわち、請求項７に記載の発明は、電断発生時において、貸出球の貸し出しに加え、賞球の払い出しの確実な中止を実現することができるようにしたものである。
（請求項８）
請求項８に記載の発明は、上記した請求項７に記載の発明の目的に加え、次の点を目的とする。
【００１１】
すなわち、請求項８に記載の発明は、貸出球の流下の阻止に加え、賞球経路を遮断することで、賞球としての遊技球の流下を阻止することができるようにしたものである。
（請求項９）
請求項９に記載の発明は、上記した請求項７又は請求項８に記載の発明の目的に加え、次の点を目的とする。
【００１２】
すなわち、請求項９に記載の発明は、貸出球の流下の阻止に加え、賞球としての遊技球を賞球経路外に排出することで、賞球としての遊技球の流下を阻止することができるようにしたものである。
（請求項１０）
請求項１０に記載の発明は、上記した請求項９に記載の発明の目的に加え、次の点を目的とする。
【００１３】
すなわち、請求項１０に記載の発明は、貸出球としての遊技球と、賞球としての遊技球とを共通の排出路に排出することで、経路を簡素化することができるようにしたものである。
（請求項１１）
請求項１１に記載の発明は、上記した請求項１〜１０のいずれか１項に記載の発明の目的に加え、次の点を目的とする。
【００１４】
すなわち、請求項１１に記載の発明は、電断検出手段を遊技制御装置に内蔵することができるようにしたものである。
（請求項１２）
請求項１２に記載の発明は、上記した請求項１〜１０のいずれか１項に記載の発明の目的に加え、次の点を目的とする。
【００１５】
すなわち、請求項１２に記載の発明は、電断検出手段を電源供給装置に内蔵することができるようにしたものである。
【００１６】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１７】
また、図面番号も、発明の実施の形態において用いた図番を示し、本発明の技術的範囲を限定するものではない。
（請求項１）
請求項１に記載の発明は、次の点を特徴とする。
第一に、遊技機(10)は、例えば図１、図５に示すように、遊技球払出装置(30)と、球貸経路(23)と、貸出球計数装置(60)と、遊技制御装置(70)とを備える。
【００１８】
上記遊技球払出装置(30)は、遊技球を払い出すためのものである。
前記球貸経路(23)は、遊技球払出装置(30)から払い出された貸出球としての遊技球が流下するものである。
前記貸出球計数装置(60)は、例えば図５に示すように、球貸経路(23)に配置され、当該球貸経路(23)を流下する貸出球としての遊技球を計数するためのものである。
【００１９】
前記遊技制御装置(70)は、例えば図５に示すように、遊技球払出装置(30)、前記貸出球計数装置(60)に接続され、遊技を制御するためのものである。
第二に、遊技機(10)には、例えば図１、図５に示すように、電断検出手段(140)と、遊技球流下阻止装置(80)とを備える。
上記電断検出手段(140)は、電源供給装置(90)からの電源の供給が遮断されたことを検出し、電断信号を出力するためのものである。
【００２０】
なお、電断検出手段は、例えば図１に示すように、遊技制御装置(70)に内蔵されていても良いし、或いは例えば図１１に示すように、電源供給装置(90)に内蔵されていても良い。
前記遊技球流下阻止装置(80)は、例えば図５に示すように、球貸経路(23)に配置され、遊技球払出装置(30)と貸出球計数装置(60)との間に位置し、電断検出手段(140)からの電断信号の入力を条件に、遊技球払出装置(30)から払い出された貸出球としての遊技球が球貸計数装置に向かって流下するのを阻止するものである。
【００２１】
なお、遊技球流下阻止装置(80)は、例えば図１、図５、或いは例えば図２７〜２８に示すように、球貸経路遮断装置(170)から構成しても良いし、又、例えば図１３、図２０〜２１、或いは図３２〜３３に示すように、阻止貸出球排出装置(210)から構成しても良い。
（請求項２）
請求項２に記載の発明は、上記した請求項１に記載の発明の特徴点に加え、次の点を特徴とする。
【００２２】
すなわち、遊技制御装置(70)には、例えば図１に示すように、貸出球計数装置制御手段(110)を備える。
上記貸出球計数装置制御手段(110)は、遊技球流下阻止装置(80)の阻止動作の前に、遊技球払出装置(30)から払い出された貸出球としての遊技球が、貸出球計数装置(60)により計数される迄の間、当該貸出球計数装置(60)の計数動作を維持するためのものである。
（請求項３）
請求項３に記載の発明は、上記した請求項１又は請求項２に記載の発明の特徴点に加え、次の点を特徴とする。
【００２３】
すなわち、遊技制御装置(70)には、例えば図１に示すように、遊技球流下阻止制御手段(150)を備える。
上記遊技球流下阻止制御手段(150)は、電源供給装置(90)からの電源の供給が再開された後、貸出球計数装置(60)による計数が可能となる迄の間、遊技球流下阻止装置(80)の阻止状態を維持させるためのものである。
（請求項４）
請求項４に記載の発明は、上記した請求項１〜３のいずれか１項に記載の発明の特徴点に加え、次の点を特徴とする。
【００２４】
すなわち、遊技制御装置(70)には、例えば図１に示すように、遊技球流下阻止制御手段(150)を備える。
上記遊技球流下阻止制御手段(150)は、遊技球流下阻止装置(80)を阻止状態とし、遊技球払出装置(30)の払出動作に連動させて、阻止状態を解除するためのものである。
（請求項５）
請求項５に記載の発明は、上記した請求項１〜４のいずれか１項に記載の発明の特徴点に加え、次の点を特徴とする。
【００２５】
すなわち、遊技球流下阻止装置(80)には、例えば図１〜２、或いは図２７〜２８に示すように、球貸経路遮断装置(170)を備える。
上記球貸経路遮断装置(170)は、球貸経路(23)を遮断するものである。
（請求項６）
請求項６に記載の発明は、上記した請求項１〜５のいずれか１項に記載の発明の特徴点に加え、次の点を特徴とする。
【００２６】
すなわち、遊技球流下阻止装置(80)には、例えば図１３、図２０〜２１、或いは図３２〜３３に示すように、阻止貸出球排出装置(210)を備える。
上記阻止貸出球排出装置(210)は、球貸経路(23)を遮断するとともに、遊技球払出装置(30)から払い出された貸出球としての遊技球を、当該球貸経路(23)外に排出するものである。
（請求項７）
請求項７に記載の発明は、上記した請求項１〜６のいずれか１項に記載の発明の特徴点に加え、次の点を特徴とする。
【００２７】
すなわち、遊技機(10)には、例えば図２７〜２８に示すように、賞球払出装置(300)と、賞球経路（例えば賞球流入路320）と、賞球計数装置(50)と、賞球流下阻止装置(340)とを備える。
上記賞球払出装置(300)は、賞球としての遊技球を払い出すためのものである。
【００２８】
前記賞球経路（例えば賞球流入路320）は、例えば図２７に示すように、賞球払出装置(300)から払い出された賞球としての遊技球が流下するものである。
前記賞球計数装置(50)は、例えば図２７に示すように、賞球経路（例えば賞球流入路320）に配置され、当該賞球経路（例えば賞球流入路320）を流下する賞球としての遊技球を計数するためのものである。
【００２９】
前記賞球流下阻止装置(340)は、例えば図２７に示すように、賞球経路（例えば賞球流入路320）に配置され、賞球払出装置(300)と賞球計数装置(50)との間に位置し、電断検出手段(140)からの電断信号の入力を条件に、賞球払出装置(300)から払い出された賞球としての遊技球が賞球計数装置(50)に向かって流下するのを阻止するものである。
【００３０】
なお、賞球流下阻止装置(340)は、例えば図２７〜２８に示すように、賞球経路遮断装置(160)から構成しても良いし、或いは例えば図３１〜３３に示すように、阻止賞球排出装置(200)から構成しても良い。
（請求項８）
請求項８に記載の発明は、上記した請求項７に記載の発明の特徴点に加え、次の点を特徴とする。
【００３１】
すなわち、賞球流下阻止装置(340)には、例えば図２７〜２８に示すように、賞球経路遮断装置(160)を備える。
上記賞球経路遮断装置(160)は、賞球経路（例えば賞球流入路320）を遮断するものである。
（請求項９）
請求項９に記載の発明は、上記した請求項７又は請求項８に記載の発明の特徴点に加え、次の点を特徴とする。
【００３２】
すなわち、賞球流下阻止装置(340)には、例えば図３１〜３３に示すように、阻止賞球排出装置(200)を備える。
上記阻止賞球排出装置(200)は、賞球経路（例えば賞球流入路320）を遮断するとともに、遊技球払出装置(30)から払い出された賞球としての遊技球を、当該賞球経路（例えば賞球流入路320）外に排出するものである。
（請求項１０）
請求項１０に記載の発明は、上記した請求項９に記載の発明の特徴点に加え、次の点を特徴とする。
【００３３】
すなわち、阻止貸出球排出装置(210)と、阻止賞球排出装置(200)とは、例えば図３１〜３２に示すように、貸出球としての遊技球と、賞球としての遊技球とを共通の排出路(500)に排出するようにしている。
（請求項１１）
請求項１１に記載の発明は、上記した請求項１〜１０のいずれか１項に記載の発明の特徴点に加え、次の点を特徴とする。
【００３４】
すなわち、電断検出手段(140)は、例えば図１に示すように、遊技制御装置(70)に内蔵されている。
（請求項１２）
請求項１２に記載の発明は、上記した請求項１〜１０のいずれか１項に記載の発明の特徴点に加え、次の点を特徴とする。
【００３５】
すなわち、電断検出手段(91)は、例えば図２２に示すように、電源供給装置(90)に内蔵されている。
【００３６】
【発明の実施の形態】
（図面の説明）
図１〜１０は、本発明の第一の実施の形態の一例を示すものである。
図１は、遊技機の賞球・球貸機構の概略ブロック図を示すものである。
図２〜４は、賞球時の遊技機の賞球・球貸機構を示すものであり、図２は遊技機の賞球・球貸機構の概略断面図、図３は遊技球流下阻止装置の概略平面図、図４は図２のIV−IV線に沿う概略断面図をそれぞれ示すものである。
【００３７】
図５〜７は、球貸し時の遊技機の賞球・球貸機構を示すものであり、図５は遊技機の賞球・球貸機構の概略断面図、図６は遊技球流下阻止装置の概略平面図、図７は図５のVII−VII線に沿う概略断面図をそれぞれ示すものである。
図８〜１０は、電断時の遊技機の賞球・球貸機構を示すものであり、図８は遊技機の賞球・球貸機構の概略断面図、図９は遊技球流下阻止装置の概略平面図、図１０は図８のＸ−Ｘ線に沿う概略断面図をそれぞれ示すものである。
【００３８】
図１１は、本発明の第二の実施の形態の一例を示すものである。
図１１は、遊技機の賞球・球貸機構の概略ブロック図を示すものである。
図１２は、本発明の第三の実施の形態の一例を示すものである。
図１２は、遊技球流下阻止装置の概略平面図を示すものである。
図１３〜２１は、本発明の第四の実施の形態の一例を示すものである。
【００３９】
図１３は、遊技機の賞球・球貸機構の概略ブロック図を示すものである。
図１４〜１７は、賞球時の遊技機の賞球・球貸機構を示すものであり、図１４は遊技機の賞球・球貸機構の概略断面図、図１５は賞球計数装置及び貸出球計数装置の概略平面図、図１６は図１４のXVI−XVI線に沿う概略断面図、図１７は図１６に対応し、阻止賞球排出弁が阻止賞球排出誘導路側に駆動された状態を示す断面図をそれぞれ示すものである。
【００４０】
図１８〜２１は、球貸し時の遊技機の賞球・球貸機構を示すものであり、図１８は遊技機の賞球・球貸機構の概略断面図、図１９は賞球計数装置及び貸出球計数装置の概略平面図、図２０は図１８のXX−XX線に沿う概略断面図、図２１は図２０に対応し、阻止貸出排出弁が阻止貸出球排出誘導路側に駆動された状態を示す断面図をそれぞれ示すものである。
【００４１】
図２２は、本発明の第五の実施の形態の一例を示すものである。
図２２は、遊技機の賞球・球貸機構の概略ブロック図を示すものである。
図２３〜２４は、本発明の第一の実施の形態の賞球処理を説明するためのものであり、図２３はフローチャート、図２４は図２３の賞球払出許可確認を説明するためのフローチャートをそれぞれ示すものである。
【００４２】
図２５〜２６は、本発明の第一の実施の形態の貸出処理を説明するためのものであり、図２５はフローチャート、図２６は図２５の払出許可確認を説明するためのフローチャートをそれぞれ示すものである。
図２７〜２８は、本発明の第六の実施の形態の一例を示すものであり、図２７は遊技機の賞球機構と球貸機構との概略断面図、図２８は図２７の賞球・球貸機構の概略ブロック図をそれぞれ示すものである。
【００４３】
図２９は、本発明の第七の実施の形態の一例を示すものである。
図２９は、遊技機の賞球・球貸機構の概略ブロック図を示すものである。
図３０は、本発明の第八の実施の形態の一例を示すものである。
図３０は、遊技機の賞球・球貸機構の概略ブロック図を示すものである。
図３１〜３３は、本発明の第九の実施の形態の一例を示すものであり、図３１は遊技機の賞球機構と球貸機構との概略断面図、図３２は図３１の阻止賞球排出装置と阻止貸出球排出装置とをそれぞれ切り替えた状態を示す概略断面図、図３３は図３１〜３２の賞球・球貸機構の概略ブロック図をそれぞれ示すものである。
【００４４】
図３４は、本発明の第十の実施の形態の一例を示すものである。
図３４は、遊技機の賞球・球貸機構の概略ブロック図を示すものである。
図３５は、本発明の第十一の実施の形態の一例を示すものである。
図３５は、遊技機の賞球・球貸機構の概略ブロック図を示すものである。
（遊技機10）
図１中、10は、パチンコ機等の遊技機を示すものである。
【００４５】
なお、遊技機は、パチンコ機に限らない。
上記遊技機10は、図１〜３に示すように、大別すると、次のパーツを備える。
（１）遊技球経路20
（２）遊技球払出装置30
（３）経路切替装置40
（４）賞球計数装置50
（５）貸出球計数装置60
（６）遊技制御装置70
（７）遊技球流下阻止装置80
（８）電源供給装置90
なお、遊技機10は、上記した（１）〜（８）のパーツに限定されない。
（遊技球経路20）
遊技球経路20は、図２に示すように、遊技球払出装置30から払い出された遊技球が流下するものである。
【００４６】
なお、遊技球経路20には、遊技球払出装置30より上部の経路を含んでいないが、上部の経路を含んでいても良い。
上記遊技球経路20の高さの途中には、図２に示すように、分岐路21を有する。
上記分岐路21は、図２に示すように、遊技球経路20から二股に分岐し、一方が賞球経路22に連通し、他方が球貸経路23に連通するものである。
（遊技球払出装置30）
遊技球払出装置30は、図２に示すように、遊技球を払い出すためのものである。
【００４７】
上記遊技球には、賞球と、貸出球が含まれる。
具体的には、遊技球払出装置30は、図２に示すように、次のパーツを有する。
（１）スプロケット31
（２）払出モータ（図示せず）
なお、遊技球払出装置30は、上記した（１）〜（２）のパーツに限定されない。
【００４８】
上記スプロケット31は、図２に示すように、放射状に延びる複数枚の羽根を有し、隣り合う羽根の間隔内に賞球を一球ずつ保持する。
なお、スプロケット31の形状は、図面に示したものに限定されない。
前記払出モータは、図示しないが、スプロケット31を回転させるものである。
（経路切替装置40）
経路切替装置40は、図２に示すように、分岐路21に配置され、遊技球払出装置30のスプロケット31から払い出された賞球を、賞球経路22と球貸経路23とに択一的に切り替えるものである。
【００４９】
具体的には、経路切替装置40は、図２に示すように、次のパーツを有する。
（１）切替弁41
（２）経路切替用駆動装置（図示せず）
なお、経路切替装置40は、上記した（１）〜（２）のパーツに限定されない。
上記切替弁41は、図２に示すように、回転可能に支持されている。
【００５０】
なお、切替弁41の形状は、図面に示したものに限定されない。
そして、切替弁41は、図２に示すように、ほぼ垂直な状態では、遊技球払出装置30から払い出された賞球としての遊技球を、賞球経路22に向かって流下させる。
これに対し、切替弁41は、図５に示すように、斜めに倒れた状態では、遊技球払出装置30から払い出された貸出球としての遊技球を、球貸経路23に向かって流下させる。
【００５１】
前記経路切替用駆動装置は、図示しないが、切替弁41を回転させるものである。
具体的には、経路切替用駆動装置（図示せず）には、モータやソレノイド等を使用することができる。
一方、切替弁41は、経路切替用駆動装置（図示せず）の駆動状態では、球貸し動作側に、逆に非駆動状態では、賞球動作側に切り替わっている。
【００５２】
その理由は、遊技機10においては、日常的に賞球動作を行っている方が、球貸し動作を行っているよりも多い。つまり、球貸し動作側をデフォルトで設定、すなわち非駆動時に球貸し動作側に切り替わっていると、経路切替用駆動装置（図示せず）を駆動している時間が長くなり、駆動装置の発熱等の問題から、駆動装置を大型化しなければならないことや、劣化する等の問題が発生するためである。
（賞球計数装置50）
賞球計数装置50は、図２に示すように、賞球経路22に配置され、当該賞球経路22を通過する賞球としての遊技球を検出するためのものである。
【００５３】
具体的には、賞球計数装置50には、例えば光学的センサを使用している。
なお、賞球計数装置50は、光学的センサに限定されず、磁気的、或いは機械的なセンサを使用しても良い。
（貸出球計数装置60）
貸出球計数装置60は、図２に示すように、球貸経路23に配置され、当該球貸経路23を通過する貸出球としての遊技球を検出するためのものである。
【００５４】
具体的には、貸出球計数装置60には、賞球計数装置50と同様に、例えば光学的センサを使用している。
なお、貸出球計数装置60は、賞球計数装置50と同様に、光学的センサに限定されず、磁気的、或いは機械的なセンサを使用しても良い。
（遊技制御装置70）
遊技制御装置70は、図１に示すように、遊技を制御するためのものである。具体的には、遊技制御装置70は、賞球動作や球貸動作を制御している。
【００５５】
上記遊技制御装置70の入力側には、図１に示すように、賞球計数装置50、貸出球計数装置60がそれぞれ接続されている。
前記遊技制御装置70の出力側には、図１に示すように、遊技球払出装置30、経路切替装置40、遊技球流下阻止装置80がそれぞれ接続されている。
なお、遊技制御装置70には、図１に示すように、電源供給装置90から電源が供給されている。
【００５６】
具体的には、遊技制御装置70は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、図１に示すように、次の手段として機能する。
（１）賞球計数装置制御手段100
（２）貸出球計数装置制御手段110
（３）遊技球払出制御手段120
（４）経路切替制御手段130
（５）電断検出手段140
（６）遊技球流下阻止制御手段150
なお、遊技制御装置70の手段は、上記した（１）〜（６）に限定されない。
（遊技球流下阻止装置80）
遊技球流下阻止装置80は、遊技球払出装置30から払い出された遊技球が流下するのを阻止するものである。
【００５７】
上記遊技球には、賞球と、貸出球が含まれる。
賞球動作時には、遊技球流下阻止装置80は、図２に示すように、賞球経路22に配置され、遊技球払出装置30と賞球計数装置50との間に位置し、遊技制御装置70の電断検出手段140からの電断信号の入力を条件に、遊技球払出装置30から払い出された賞球としての遊技球が賞球計数装置50に向かって流下するのを阻止するものである。
【００５８】
これに対し、球貸動作時には、遊技球流下阻止装置80は、図２に示すように、球貸経路23に配置され、遊技球払出装置30と貸出球計数装置60の間に位置し、電断検出手段140からの電断信号の入力を条件に、遊技球払出装置30から払い出された貸出球としての遊技球が貸出球計数装置60に向かって流下するのを阻止するものである。
【００５９】
上記阻止とは、経路内の遮断ほか、図１３〜２１に示すように、経路外への遊技球の排出を含む概念である。
具体的には、遊技球流下阻止装置80は、図３に示すように、次の装置を有する。
（１）賞球経路遮断装置160
（２）球貸経路遮断装置170
なお、遊技球流下阻止装置80の装置は、上記した（１）〜（２）に限定されない。例えば、遊技球流下阻止装置80を、賞球経路22と球貸経路23とを分岐する分岐路21よりも上方に配置することにより、賞球経路遮断装置160と球貸経路遮断装置170とを兼用することも可能である。
（賞球経路遮断装置160）
賞球経路遮断装置160は、図２〜４に示すように、賞球経路22を遮断するものである。
【００６０】
具体的には、賞球経路遮断装置160は、図２〜４に示すように、次のパーツを有する。
（１）賞球止めシャッター161
（２）賞球止めシャッター駆動装置162
なお、賞球経路遮断装置160のパーツは、上記した（１）〜（２）に限定されない。
【００６１】
上記賞球止めシャッター161は、図２〜４に示すように、賞球計数装置50の上方にスライド可能に支持されている。
また、賞球止めシャッター161と賞球計数装置50との位置関係は、賞球止めシャッター161の駆動時に、賞球止めシャッター161により遮断された賞球としての遊技球が、賞球計数装置50により検出されない程度の空間を有している。
【００６２】
なお、賞球止めシャッター161の形状は、図面に示したものに限定されない。
そして、賞球止めシャッター161は、図２〜４に示すように、後退位置では、シャッター穴とセンサ穴とが一致し、賞球は賞球計数装置50に向かって流下する。
これに対し、賞球止めシャッター161は、図８〜９に示すように、前進位置では、シャッター穴とセンサ穴とが一致しなくなり、賞球は賞球止めシャッター161で止められ、賞球計数装置50に向かって流下しない。
【００６３】
前記賞球止めシャッター駆動装置162は、図３〜４に示すように、賞球止めシャッター161をスライドするためのものである。
具体的には、賞球止めシャッター駆動装置162には、図３〜４に示すように、例えばソレノイドを使用している。
なお、賞球止めシャッター駆動装置162は、ソレノイドに限らず、モータ等を使用しても良い。
（球貸経路遮断装置170）
球貸経路遮断装置170は、図５〜７に示すように、球貸経路23を遮断するものである。
【００６４】
具体的には、球貸経路遮断装置170は、図５〜７に示すように、次のパーツを有する。
（１）貸出球止めシャッター171
（２）貸出球止めシャッター駆動装置172
なお、球貸経路遮断装置170のパーツは、上記した（１）〜（２）に限定されない。
【００６５】
上記貸出球止めシャッター171は、図５〜７に示すように、貸出球計数装置60の上方にスライド可能に支持されている。
また、貸出球止めシャッター171と貸出球計数装置60との位置関係は、貸出球止めシャッター171の駆動時に、貸出球止めシャッター171により遮断された貸出球としての遊技球が、貸出球計数装置60により検出されない程度の空間を有している。
【００６６】
なお、貸出球止めシャッター171の形状は、図面に示したものに限定されない。
そして、貸出球止めシャッター171は、図５〜７に示すように、後退位置では、シャッター穴とセンサ穴とが一致し、賞球は貸出球計数装置60に向かって流下する。
【００６７】
これに対し、貸出球止めシャッター171は、図８〜１０に示すように、前進位置では、シャッター穴とセンサ穴とが一致しなくなり、賞球は貸出球止めシャッター171で止められ、貸出球計数装置60に向かって流下しない。
前記貸出球止めシャッター駆動装置172は、図６〜７に示すように、貸出球止めシャッター171をスライドするためのものである。
【００６８】
具体的には、貸出球止めシャッター駆動装置172には、図６〜７に示すように、例えばソレノイドを使用している。
なお、貸出球止めシャッター駆動装置172は、ソレノイドに限らず、モータ等を使用しても良い。
（電源供給装置90）
電源供給装置90は、図１に示すように、遊技球払出装置30、経路切替装置40、賞球計数装置50、貸出球計数装置60、遊技制御装置70、遊技球流下阻止装置80に電源を供給するためのものである。
（賞球計数装置制御手段100）
賞球計数装置制御手段100は、賞球計数装置50からの信号にもとづいて、賞球数を計数するためのものである。
【００６９】
また、賞球計数装置制御手段100は、遊技球流下阻止装置80の阻止動作の前に、遊技球払出装置30から払い出された賞球としての遊技球が、賞球計数装置50により計数される迄の間、当該賞球計数装置50の計数動作を維持するためのものである。
すなわち、電断検出手段90からの電断信号の入力を条件に、遊技球流下阻止装置80の賞球経路遮断装置160が作動し、図９に示すように、賞球止めシャッター161が閉じる。
【００７０】
このとき、閉じた賞球止めシャッター161と、賞球計数装置50との間に、賞球としての遊技球が存在することがある。
仮に、賞球止めシャッター161が閉じるのと同時に、賞球計数装置50への電源の供給を停止してしまうと、賞球止めシャッター161と賞球計数装置50との間に存在する賞球としての遊技球は、賞球計数装置50により検出されることなく、遊技者に払い出されてしまう。
【００７１】
このため、賞球の計数値と、実際に払い出された賞球の数との間に、誤差が発生するおそれがある。
そこで、賞球止めシャッター161と賞球計数装置50との間に存在する可能性のある賞球としての遊技球が、賞球計数装置50により計数される迄の時間、賞球計数装置50への電源の供給を行っている。
【００７２】
上記時間は、賞球止めシャッター161と賞球計数装置50との間の距離と、遊技球の落下速度とから求められ、例えば「１００ｍｓ」に設定されているが、これに限定されるものでない。
（貸出球計数装置制御手段110）
貸出球計数装置制御手段110は、貸出球計数装置60からの信号にもとづいて、賞球数を計数するためのものである。
【００７３】
また、貸出球計数装置制御手段110は、遊技球流下阻止装置80の阻止動作の前に、遊技球払出装置30から払い出された貸出球としての遊技球が、貸出球計数装置60により計数される迄の間、当該貸出球計数装置60の計数動作を維持するためのものである。
すなわち、電断検出手段90からの電断信号の入力を条件に、遊技球流下阻止装置80の球貸経路遮断装置170が作動し、図９に示すように、貸出球止めシャッター171が閉じる。
【００７４】
このとき、閉じた貸出球止めシャッター171と、貸出球計数装置60との間に、貸出球としての遊技球が存在することがある。
仮に、貸出球止めシャッター171が閉じると同時に、貸出球計数装置60への電源の供給を停止してしまうと、貸出球止めシャッター171と貸出球計数装置60との間に存在する貸出球としての遊技球は、貸出球計数装置60により検出されることなく、遊技者に貸し出されてしまう。
【００７５】
このため、貸出球の計数値と、実際に貸し出された貸出球の数との間に、誤差が発生するおそれがある。
そこで、貸出球止めシャッター171と貸出球計数装置60との間に存在する可能性のある貸出球としての遊技球が、貸出球計数装置60により計数される迄の時間、貸出球計数装置60への電源の供給を行っている。
【００７６】
上記時間は、貸出球止めシャッター171と貸出球計数装置60との間の距離と、遊技球の落下速度とから求められ、例えば「１００ｍｓ」に設定されているが、これに限定されるものでない。
（遊技球払出制御手段120）
遊技球払出制御手段120は、駆動信号にもとづいて、遊技球払出装置30の払出モータ（図示せず）を駆動して、賞球を払い出すためのものである。
（経路切替制御手段130）
経路切替制御手段130は、遊技球払出装置30の動作に連動させて、経路切替装置40の経路切替用駆動装置（図示せず）を駆動するものである。
（電断検出手段140）
電断検出手段140は、例えば停電等により、電源供給装置90からの電源の供給が遮断されたことを検出し、電断信号を出力するためのものである。
（遊技球流下阻止制御手段150）
遊技球流下阻止制御手段150は、電断検出手段90からの電断信号の入力を条件に、遊技球流下阻止装置80を駆動して、賞球・球貸し動作を中止するためのものである。
【００７７】
また、遊技球流下阻止制御手段150は、電源供給装置90からの電源の供給が再開された電断復帰後、賞球計数装置50や貸出球計数装置60による計数が可能となる迄の間、遊技球流下阻止装置80の阻止状態を維持させるためのものである。
すなわち、電断復帰後、プログラムが起動され、初期化等が行われる。このため、これらの時間の間、賞球計数装置50や貸出球計数装置60による計数が不能となる。
【００７８】
そこで、上記時間の間、遊技球流下阻止装置80の阻止状態を維持させている。
さらに、遊技球流下阻止制御手段150により、遊技球流下阻止装置80を阻止状態とし、遊技球払出装置30の払出動作に連動させて、阻止状態を解除させるようにしても良い。
上記のように、遊技球流下阻止装置80を阻止状態としておくことで、不正を防止することができる。
【００７９】
すなわち、遊技球払出装置30は、例えば入賞信号の発生時に駆動されるが、入賞信号が無いにもかかわらず、遊技球払出装置30が不正に駆動されることがある。
このとき、遊技球流下阻止装置80を阻止状態としておくことにより、遊技者への賞球の不正な払い出しを未然に防止することができる。
【００８０】
遊技球流下阻止制御手段150は、具体的には、図１に示すように、次の手段を有する。
（１）賞球経路遮断制御手段151
（２）球貸経路遮断制御手段152
なお、遊技球流下阻止制御手段150の手段は、上記した（１）〜（２）に限定されない。
（賞球経路遮断制御手段151）
賞球経路遮断制御手段151は、電断検出手段140からの電断信号の入力を条件に、賞球経路遮断装置160の賞球止めシャッター駆動装置162を駆動して、賞球を遮断するためのものである。
【００８１】
その後、賞球経路遮断制御手段151は、電源供給装置140からの電源の供給が再開された電断復帰後、賞球経路遮断装置160の遮断状態を解除し、賞球計数装置50に向かって賞球が流下するのを許容するためのものである。
（球貸経路遮断制御手段152）
球貸経路遮断制御手段152は、電断検出手段140からの電断信号の入力を条件に、球貸経路遮断装置170の貸出球止めシャッター駆動装置172を駆動して、賞球を遮断するためのものである。
【００８２】
その後、球貸経路遮断制御手段152は、電断復帰後、球貸経路遮断装置170の遮断状態を解除し、貸出球計数装置60に向かって賞球が流下するのを許容するためのものである。
（動作）
つぎに、上記した構成を有する遊技機10の動作について、次の場合に分けて以下に説明する。
【００８３】
（１）賞球時
（２）球貸し時
（３）電断時
（賞球時）
賞球時の遊技機10の動作は、次の通りである。
【００８４】
（１）賞球必要個数を、図１に示す賞球計数装置制御手段100（賞球残りカウンタ）に設定する。
上記設定について、具体例を挙げて説明すると、電断直前に例えば１０個の賞球を払い出したにもかかわらず、８個の賞球しか賞球計数装置50において検出されたなかった場合には、賞球残りカウンタのカウント値は、残る「２」個となる。
【００８５】
上記カウント値は、電断時に記憶され、電断復帰後、賞球残りカウンタのカウント値は、「２」個となる。
後述する（４）において、賞球止めシャッター161が開放した後、「１」個の賞球が賞球計数装置50により検出された場合には、後述する（２）において、賞球残りカウンタのカウント値から「１」個が減算される。その結果、賞球残りカウンタのカウント値は、「１」個となる。
【００８６】
（２）賞球計数装置50にて計数を開始する。
すなわち、賞球が、賞球計数装置50を通過するたびに、賞球計数装置制御手段100（賞球残りカウンタ）を「１」減算する。
（３）賞球止めシャッター161を、図２〜４に示すように、開状態にする。
（４）「１００ｍｓ」待ち、すなわち賞球止めシャッター161上に残っていた賞球の通過待ち後、賞球計数装置制御手段100（賞球残りカウンタ）の「値」を遊技球払出制御手段120の払出モータ駆動カウンタ（図示せず）にコピーする。
【００８７】
（５）遊技球払出制御手段120の払出モータ駆動カウンタ（図示せず）の「値」だけ、遊技球払出装置30の払出モータ（図示せず）を駆動する。
（６）遊技球払出装置30の払出モータ（図示せず）の駆動停止後、「５００ｍｓ」以内に賞球計数装置制御手段100（賞球残りカウンタ）が「０」になったら、賞球止めシャッター161を閉状態にし、後述する（１０）へ、ならない場合は次の（７）へ進む。
【００８８】
（７）賞球計数装置制御手段100（賞球残りカウンタ）が「０」でない場合は、遊技球払出装置30の払出モータ（図示せず）を１個払い出し分、駆動する。
（８）「５００ｍｓ」待って賞球計数装置50に通過が無い場合は、例えば「エラー」状態とし、通過があった場合は次の（９）へ進む。
（９）賞球計数装置制御手段100（賞球残りカウンタ）が「０」ならば、賞球止めシャッター161を閉状態にし、次の（１０）へ進み、「０」でないならば先の（７）へ戻る。
【００８９】
（１０）賞球計数装置50にもとづく計数を停止する。
（球貸し時）
球貸しの遊技機10の動作は、次の通りである。
（１）球貸し必要個数を、貸出球計数装置制御手段110（球貸し残りカウンタ）に設定する。
【００９０】
（２）貸出球計数装置60にて計数を開始する。すなわち、賞球が貸出球計数装置60を通過するたびに、貸出球計数装置制御手段110（球貸し残りカウンタ）を「１」減算する。
（３）貸出球止めシャッター171を、図５〜７に示すように、開状態にする。
【００９１】
（４）経路切替装置40の切替弁41を、図５に示すように、賞球経路22側、すなわち賞球経路22を遮断し、球貸経路23を開放する。
（５）「１００ｍｓ」待ち、すなわち貸出球止めシャッター171上に残っていた賞球の通過待ち後、貸出球計数装置制御手段110（球貸し残りカウンタ）の「値」を遊技球払出制御手段120の払出モータ駆動カウンタ（図示せず）にコピーする。
【００９２】
（６）遊技球払出制御手段120の払出モータ駆動カウンタ（図示せず）の値だけ、遊技球払出装置30の払出モータ（図示せず）を駆動する。
（７）遊技球払出装置30の払出モータ（図示せず）の駆動停止後、「５００ｍｓ」以内に貸出球計数装置制御手段110（球貸し残りカウンタ）が「０」になったら、貸出球止めシャッター171を閉状態にし、後述する（１１）へ、ならない場合は次の（８）へ進む。
【００９３】
（８）貸出球計数装置制御手段110（球貸し残りカウンタ）が「０」でない場合は、遊技球払出装置30の払出モータ（図示せず）を１個払い出し分、駆動する。
（９）「５００ｍｓ」待って貸出球計数装置60に通過が無い場合は、貸出球止めシャッター171を閉状態し、例えば「エラー」状態とし、通過があった場合は次の（１０）へ進む。
【００９４】
（１０）貸出球計数装置制御手段110（球貸し残りカウンタ）が「０」ならば、貸出球止めシャッター171を閉状態にし、次の（１１）へ進み、「０」でないならば先の（８）へ戻る。
（１１）経路切替装置40の切替弁41を、図２に示すように、球貸経路23側、すなわち球貸経路23を遮断し、賞球経路22を開放する。
【００９５】
（１２）貸出球計数装置60にもとづく計数を停止する。
（電断発生時）
例えば停電等の電断発生時の遊技機10の動作は、次の通りである。
（１）賞球止めシャッター161を、図８〜９に示すように、閉状態にする
（２）貸出球止めシャッター171を、図８〜１０に示すように、閉状態にする
（３）経路切替装置40の切替弁41を、図８に二点差線で示すように、賞球経路22側、すなわち賞球経路22を遮断し、球貸経路23を開放する。
（図２３に示す賞球処理）
図２３〜２４を用いて、賞球処理の手順について説明する。
【００９６】
まず、電源投入（Ｐ−ＯＮ（パワーオン）リセット）時、リセットパルスが入力されると、図２３に示すように、ステップＳ１００に進み、初期設定が行われる。
上記初期設定後、図２３に示すように、当該ステップＳ１００から次のステップＳ１０１に進み、後述するバックアップデータが有るか否かが判定される。
【００９７】
上記判定の結果、バックアップデータが無い場合には、図２３に示すように、当該ステップＳ１０１から次のステップＳ１０２に進み、賞球コマンドを受信したか否かが判定される。
上記判定の結果、賞球コマンドを受信していない場合には、図２３に示すように、当該ステップＳ１０２からステップＳ１０３に進み、バッファーにデータが有るか否かが判定される。
【００９８】
上記判定の結果、バッファにデータが無い場合には、図２３に示すように、当該ステップＳ１０３から先のステップＳ１０２に戻り、賞球コマンドの受信待ちとなる。
一方、先のステップＳ１０１において、バックアップデータが有ると判定された場合には、図２３に示すように、次のステップＳ１０４に進み、バックアップデータの読み込みを行う。
【００９９】
上記読み込み後、図２３に示すように、当該ステップＳ１０４からステップＳ１０５に進み、後述するが、図２４に示す賞球払出許可確認処理を行う。
上記賞球払出許可確認処理後、図２３に示すように、当該ステップＳ１０５から次のステップＳ１０６に進み、賞球払出許可か否かの判定を行う。
上記判定の結果、賞球払出許可の場合には、図２３に示すように、当該ステップＳ１０６から次のステップＳ１０７に進む。
【０１００】
これに対し、上記ステップＳ１０６において、賞球払出許可ができない場合には、図２３に示すように、先のステップＳ１０５に戻り、再度、賞球払出許可確認処理が繰り返される。
上記ステップＳ１０７では、図２３に示すように、待ち時間が終了したか否かの判定を行う。
【０１０１】
上記判定の結果、待ち時間が終了した場合には、図２３に示すように、当該ステップＳ１０７から次のステップＳ１０８に進み、バックアップ球数分の賞球が払い出される。
上記払い出し後、図２３に示すように、当該ステップＳ１０８から次のステップＳ１０９に進み、遊技球流下阻止装置80の駆動、例えば第一の実施の形態では、図９に示すように、賞球止めシャッター161が閉じる。
【０１０２】
なお、後述するが、ステップＳ１０８の賞球の払い出しに先立ち、先のステップＳ１０５の賞球払出許可確認処理、すなわち図２４に示すステップＳ２０７において、遊技球流下阻止装置80の解除、例えば第一の実施の形態では、図３に示すように、賞球止めシャッター161が開いている。
上記遊技球流下阻止装置80の駆動後、図２３に示すように、当該ステップＳ１０９から先に説明したステップＳ１０２に進む。
【０１０３】
一方、先のステップＳ１０７において、待ち時間が終了していない場合には、図２３に示すように、次のステップＳ１１０に進み、賞球カウントが有るか否か判定される。
上記判定の結果、賞球カウントが有る場合には、図２３に示すように、当該ステップＳ１１０から次のステップＳ１１１に進み、バックアップ球数を減算後、先のステップＳ１０７に戻る。
【０１０４】
これに対し、賞球カウントが無い場合には、図２３に示すように、当該ステップＳ１１０から先のステップＳ１０７に戻る。
一方、先のステップＳ１０２において、賞球コマンドを受信している場合には、図２３に示すように、次のステップＳ１１２に進み、賞球コマンドに応じた賞球数をバッファに格納する。
【０１０５】
上記格納後、図２３に示すように、当該ステップＳ１１２から先のステップＳ１０２に戻る。
一方、先のステップＳ１０３において、バッファにデータが有る場合には、図２３に示すように、次のステップＳ１０５に進み、後述するが、図２４に示す賞球払出許可確認処理を行う。
【０１０６】
上記賞球払出許可確認処理後、図２３に示すように、当該ステップＳ１０５から次のステップＳ１１３に進み、賞球払出許可か否かの判定を行う。
上記判定の結果、賞球払出許可の場合には、図２３に示すように、当該ステップＳ１１３から次のステップＳ１１４に進む。
これに対し、上記ステップＳ１１３において、賞球払出許可ができない場合には、図２３に示すように、先のステップＳ１０５に戻り、再度、賞球払出許可確認処理が繰り返される。
【０１０７】
上記ステップＳ１１４では、図２３に示すように、待ち時間が終了したか否かの判定を行う。
上記判定の結果、待ち時間が終了した場合には、図２３に示すように、当該ステップＳ１１４から次のステップＳ１１５に進み、払出球数がセットされる。
上記セット後、図２３に示すように、当該ステップＳ１１５から次のステップＳ１１６に進み、払出球数に応じて遊技球払出装置30の払出モータ（図示せず）の駆動が行われる。
【０１０８】
上記駆動後、図２３に示すように、当該ステップＳ１１６から次のステップＳ１１７に進み、賞球数のカウントが行われる。
上記カウント後、図２３に示すように、当該ステップＳ１１７から次のステップＳ１１８に進み、賞球数が減算される。
上記減算後、図２３に示すように、当該ステップＳ１１８から次のステップＳ１１９に進み、正常払出が完了したか否か判定される。
【０１０９】
上記判定の結果、正常払出が完了している場合には、図２３に示すように、当該ステップＳ１１９から次のステップＳ１２０に進み、遊技球流下阻止装置80の駆動、例えば第一の実施の形態では、図９に示すように、賞球止めシャッター161が閉じる。
なお、後述するが、先のステップＳ１１９の賞球の払い出しに先立ち、先のステップＳ１０５の賞球払出許可確認処理、すなわち図２４に示すステップＳ２０７において、遊技球流下阻止装置80の解除、例えば第一の実施の形態では、図３に示すように、賞球止めシャッター161が開いている。
【０１１０】
上記遊技球流下阻止装置80の駆動後、図２３に示すように、当該ステップＳ１２０から先に説明したステップＳ１０２に戻る。
一方、先のステップＳ１１４において、待ち時間が終了していない場合には、図２３に示すように、次のステップＳ１２１に進み、賞球カウントが有るか否か判定される。
【０１１１】
上記判定の結果、賞球カウントが有る場合には、図２３に示すように、当該ステップＳ１２１から次のステップＳ１２２に進み、払出球数を減算後、先のステップＳ１１４に戻る。
これに対し、賞球カウントが無い場合には、図２３に示すように、当該ステップＳ１２１から先のステップＳ１１４に戻る。
【０１１２】
一方、先のステップＳ１１９において、正常払出が完了していない場合には、図２３に示すように、当該ステップＳ１１９から次のステップＳ１２３に進み、リトライ回数の制限内か否か判定される。
上記判定の結果、リトライ回数の制限を越えている場合には、図２３に示すように、当該ステップＳ１２３から次のステップＳ１２４に進み、エラーとして処理される。
【０１１３】
これに対し、リトライ回数の制限内の場合には、図２３に示すように、当該ステップＳ１２３から次のステップＳ１２５に進み、不足球数をセット後、先のステップＳ１１６に戻り、再度、不足球数に応じた賞球の払い出しが行われる。
（図２４に示す賞球払出許可確認処理）
つぎに、図２３に示すステップＳ１０５の賞球払出許可確認処理について、図２４を用いて説明する。
【０１１４】
まず、図２４に示すように、ステップＳ２００に進み、カードユニット（図示せず）が未接続か否か判定される。
上記判定の結果、カードユニットが接続されている場合には、当該ステップ２００から次のステップＳ２０１に進む。
これに対し、カードユニットが未接続の場合には、当該賞球払出許可確認処理を終了する。
【０１１５】
上記ステップＳ２０１では、図２４に示すように、賞球切れか否か判定される。
上記判定の結果、賞球切れで無い場合には、当該ステップ２０１から次のステップＳ２０２に進む。
これに対し、賞球切れの場合には、当該賞球払出許可確認処理を終了する。
【０１１６】
上記ステップＳ２０２では、図２４に示すように、下皿（図示せず）が満タンか否かが判定される。
上記判定の結果、下皿（図示せず）が満タンで無い場合には、当該ステップＳ２０２から次のステップＳ２０３に進む。
これに対し、下皿（図示せず）が満タンの場合には、当該賞球払出許可確認処理を終了する。
【０１１７】
上記ステップＳ２０３では、図２４に示すように、球貸・賞球中であるか否かが判定される。
上記判定の結果、球貸・賞球中で無い場合には、当該ステップＳ２０３から次のステップＳ２０４に進む。
これに対し、球貸・賞球中の場合には、当該賞球払出許可確認処理を終了する。
【０１１８】
上記ステップＳ２０４では、図２４に示すように、賞球エラー中であるか否かが判定される。
上記判定の結果、賞球エラー中で無い場合には、当該ステップＳ２０４から次のステップＳ２０５に進む。
これに対し、賞球エラー中の場合には、当該賞球払出許可確認処理を終了する。
【０１１９】
上記ステップＳ２０５では、図２４に示すように、賞球計数装置50が異常であるか否かが判定される。
上記判定の結果、賞球計数装置50が正常の場合には、当該ステップＳ２０５から次のステップＳ２０６に進む。
これに対し、賞球計数装置50が異常の場合には、当該賞球払出許可確認処理を終了する。
【０１２０】
上記ステップＳ２０６では、図２４に示すように、賞球払出許可となり、次のステップＳ２０７に進む。
上記ステップＳ２０７では、図２４に示すように、遊技球流下阻止装置80の解除、例えば第一の実施の形態では、図３に示すように、賞球止めシャッター161が開く。
（図２５に示す貸出処理）
図２５〜２６を用いて、貸出処理の手順について説明する。
【０１２１】
まず、電源投入（Ｐ−ＯＮ（パワーオン）リセット）時、リセットパルスが入力されると、図２５に示すように、ステップＳ３００に進み、初期設定が行われる。
上記初期設定後、図２５に示すように、当該ステップＳ３００から次のステップＳ３０１に進み、後述するバックアップデータが有るか否かが判定される。
【０１２２】
上記判定の結果、バックアップデータが無い場合には、図２５に示すように、当該ステップＳ３０１から次のステップＳ３０２に進み、貸出要求信号を受信したか否かが判定される。
上記判定の結果、貸出要求信号を受信していない場合には、図２５に示すように、当該ステップＳ３０２からステップＳ３０３に進み、バッファにデータが有るか否かが判定される。
【０１２３】
上記判定の結果、バッファにデータが無い場合には、図２５に示すように、当該ステップＳ３０３から先のステップＳ３０２に戻り、貸出要求信号の受信待ちとなる。
一方、先のステップＳ３０１において、バックアップデータが有ると判定された場合には、図２５に示すように、次のステップＳ３０４に進み、バックアップデータの読み込みを行う。
【０１２４】
上記読み込み後、図２５に示すように、当該ステップＳ３０４からステップＳ３０５に進み、後述するが、図２６に示す払出許可確認処理を行う。
上記払出許可確認処理後、図２５に示すように、当該ステップＳ３０５から次のステップＳ３０６に進み、払出許可か否かの判定を行う。
上記判定の結果、払出許可の場合には、図２５に示すように、当該ステップＳ３０６から次のステップＳ３０７に進む。
【０１２５】
これに対し、上記ステップＳ３０６において、払出許可ができない場合には、図２５に示すように、先のステップＳ３０５に戻り、再度、払出許可確認処理が繰り返される。
上記ステップＳ３０７では、図２５に示すように、待ち時間が終了したか否かの判定を行う。
【０１２６】
上記判定の結果、待ち時間が終了した場合には、図２５に示すように、当該ステップＳ３０７から次のステップＳ３０８に進み、バックアップ球数分の貸出球が払い出される。
上記払い出し後、図２５に示すように、当該ステップＳ３０８から次のステップＳ３０９に進み、遊技球流下阻止装置80の駆動、例えば第一の実施の形態では、図９に示すように、貸出球止めシャッター171が閉じる。
【０１２７】
なお、後述するが、ステップＳ３０８の貸出球の払い出しに先立ち、先のステップＳ３０５の払出許可確認処理、すなわち図２６に示すステップＳ４０７において、遊技球流下阻止装置80の解除、例えば第一の実施の形態では、図６に示すように、貸出球止めシャッター171が開いている。
上記遊技球流下阻止装置80の駆動後、図２５に示すように、当該ステップＳ３０９から先に説明したステップＳ３０２に進む。
【０１２８】
一方、先のステップＳ３０７において、待ち時間が終了していない場合には、図２５に示すように、次のステップＳ３１０に進み、貸出球カウントが有るか否か判定される。
上記判定の結果、貸出球カウントが有る場合には、図２５に示すように、当該ステップＳ３１０から次のステップＳ３１１に進み、バックアップ球数を減算後、先のステップＳ３０７に戻る。
【０１２９】
これに対し、貸出球カウントが無い場合には、図２５に示すように、当該ステップＳ３１０から先のステップＳ３０７に戻る。
一方、先のステップＳ３０２において、貸出要求信号を受信している場合には、図２５に示すように、次のステップＳ３１２に進み、貸出要求信号に応じた貸出球数をバッファに格納する。
【０１３０】
上記格納後、図２５に示すように、当該ステップＳ３１２から先のステップＳ３０２に戻る。
一方、先のステップＳ３０３において、バッファにデータが有る場合には、図２５に示すように、次のステップＳ３０５に進み、後述するが、図２６に示す払出許可確認処理を行う。
【０１３１】
上記払出許可確認処理後、図２５に示すように、当該ステップＳ３０５から次のステップＳ３１３に進み、払出許可か否かの判定を行う。
上記判定の結果、払出許可の場合には、図２５に示すように、当該ステップＳ３１３から次のステップＳ３１４に進む。
これに対し、上記ステップＳ３１３において、払出許可ができない場合には、図２５に示すように、先のステップＳ３０５に戻り、再度、払出許可確認処理が繰り返される。
【０１３２】
上記ステップＳ３１４では、図２５に示すように、待ち時間が終了したか否かの判定を行う。
上記判定の結果、待ち時間が終了した場合には、図２５に示すように、当該ステップＳ３１４から次のステップＳ３１５に進み、貸出球数がセットされる。
上記セット後、図２５に示すように、当該ステップＳ３１５から次のステップＳ３１６に進み、貸出球数に応じて遊技球払出装置30の払出モータ（図示せず）の駆動が行われる。
【０１３３】
上記駆動後、図２５に示すように、当該ステップＳ３１６から次のステップＳ３１７に進み、貸出球数のカウントが行われる。
上記カウント後、図２５に示すように、当該ステップＳ３１７から次のステップＳ３１８に進み、貸出球数が減算される。
上記減算後、図２５に示すように、当該ステップＳ３１８から次のステップＳ３１９に進み、正常払出が完了したか否か判定される。
【０１３４】
上記判定の結果、正常払出が完了している場合には、図２５に示すように、当該ステップＳ３１９から次のステップＳ３２０に進み、遊技球流下阻止装置80の駆動、例えば第１の実施の形態では、図９に示すように、貸出球止めシャッター171が閉じる。
なお、後述するが、先のステップＳ３１９の球貸しに先立ち、先のステップＳ３０５の払出許可確認処理、すなわち図２６に示すステップＳ４０７において、遊技球流下阻止装置80の解除、例えば第一の実施の形態では、図６に示すように、貸出球止めシャッター171が開いている。
【０１３５】
上記遊技球流下阻止装置80の駆動後、図２５に示すように、当該ステップＳ３０９から先に説明したステップＳ３０２に戻る。
一方、先のステップＳ３１４において、待ち時間が終了していない場合には、図２５に示すように、次のステップＳ３２１に進み、貸出球カウントが有るか否か判定される。
【０１３６】
上記判定の結果、貸出球カウントが有る場合には、図２５に示すように、当該ステップＳ３２１から次のステップＳ３２２に進み、貸出球数を減算後、先のステップＳ３１４に戻る。
これに対し、貸出球カウントが無い場合には、図２５に示すように、当該ステップＳ３２１から先のステップＳ３１４に戻る。
【０１３７】
一方、先のステップＳ３１９において、正常払出が完了していない場合には、図２５に示すように、当該ステップＳ３１９から次のステップＳ３２３に進み、リトライ回数の制限内か否か判定される。
上記判定の結果、リトライ回数の制限を越えている場合には、図２５に示すように、当該ステップＳ３２３から次のステップＳ３２４に進み、エラーとして処理される。
【０１３８】
これに対し、リトライ回数の制限内の場合には、図２５に示すように、当該ステップＳ３２３から次のステップＳ３２５に進み、不足球数をセット後、先のステップＳ３１６に戻り、再度、不足球数に応じた貸出球の払い出しが行われる。
（図２６に示す払出許可確認処理）
つぎに、図２５に示すステップＳ３０５の払出許可確認処理について、図２６を用いて説明する。
【０１３９】
まず、図２６に示すように、ステップＳ４００に進み、カードユニット（図示せず）が未接続か否か判定される。
上記判定の結果、カードユニットが接続されている場合には、当該ステップＳ４００から次のステップＳ４０１に進む。
これに対し、カードユニットが未接続の場合には、当該払出許可確認処理を終了する。
【０１４０】
上記ステップＳ４０１では、図２６に示すように、球切れか否か判定される。
上記判定の結果、球切れで無い場合には、当該ステップ２０１から次のステップＳ４０２に進む。
これに対し、球切れの場合には、当該払出許可確認処理を終了する。
上記ステップＳ４０２では、図２６に示すように、下皿（図示せず）が満タンか否かが判定される。
【０１４１】
上記判定の結果、下皿（図示せず）が満タンで無い場合には、当該ステップＳ４０２から次のステップＳ４０３に進む。
これに対し、下皿（図示せず）が満タンの場合には、当該払出許可確認処理を終了する。
上記ステップＳ４０３では、図２６に示すように、球貸・賞球中であるか否かが判定される。
【０１４２】
上記判定の結果、球貸・賞球中で無い場合には、当該ステップＳ４０３から次のステップＳ４０４に進む。
これに対し、球貸・賞球中の場合には、当該払出許可確認処理を終了する。
上記ステップＳ４０４では、図２６に示すように、貸出エラー中であるか否かが判定される。
【０１４３】
上記判定の結果、貸出エラー中で無い場合には、当該ステップＳ４０４から次のステップＳ４０５に進む。
これに対し、貸出エラー中の場合には、当該払出許可確認処理を終了する。
上記ステップＳ４０５では、図２６に示すように、貸出球計数装置60が異常であるか否かが判定される。
【０１４４】
上記判定の結果、貸出球計数装置60が正常の場合には、当該ステップＳ４０５から次のステップＳ４０６に進む。
これに対し、貸出球計数装置60が異常の場合には、当該払出許可確認処理を終了する。
上記ステップＳ４０６では、図２６に示すように、払出許可となり、次のステップＳ４０７に進む。
【０１４５】
上記ステップＳ４０７では、図２６に示すように、遊技球流下阻止装置80が解除され、図６に示すように、貸出球止めシャッター171が開く。
（第二の実施の形態）
つぎに、図１１を用いて、本発明の第二の実施の形態について、以下に説明する。
【０１４６】
本実施の形態の特徴は、図１１に示すように、電源供給装置90に電断検出手段91を設けた点にある。
上記電断検出手段91は、例えば停電等により、電源供給装置90からの電源の供給が遮断されたことを検出し、電断信号を出力するためのものであり、電断信号は遊技制御装置70に送信される。
【０１４７】
本実施例によれば、電源供給装置90に電断検出手段91を設けることにより、図示しないが、電断時のバックアップ機能を有する複数の制御装置に対して、同一タイミングで電断か否かの判定を行うことが可能となる。このため、本実施例によれば、電断時における装置間の通信のタイムラグが減少し、電断復帰後の各装置のバックアップされた内容の相互関係が正確になるという利点がある。
（第三の実施の形態）
つぎに、図１２を用いて、本発明の第二の実施の形態について、以下に説明する。
【０１４８】
本実施の形態の特徴は、図１２に示すように、賞球経路遮断装置160と球貸経路遮断装置170とを、１個の共通な共通駆動装置180により駆動するようにした点にある。
すなわち、図３に示す賞球止めシャッター駆動装置162と、貸出球止めシャッター駆動装置172の２個の駆動装置に代えて、図１２に示すように、１個の共通な共通駆動装置180を設けている。その結果、駆動装置の数を減少することができる。
【０１４９】
具体的には、共通駆動装置180には、図１２に示すように、例えばソレノイドを使用している。
なお、共通駆動装置180は、ソレノイドに限らず、モータ等を使用しても良い。
上記共通駆動装置180により、賞球止めシャッター161と、貸出球止めシャッター171とを同時に開閉することができるようにしているが、これに限らず、個別に開閉可能としても良い。
（第四の実施の形態）
つぎに、図１３〜２１を用いて、本発明の第四の実施の形態について、以下に説明する。
【０１５０】
本実施の形態の特徴は、第一に、図１３に示すように、遊技球流下阻止装置80を、阻止賞球排出装置200と、阻止貸出球排出装置210とから構成した点にある。
第二に、本実施の形態の特徴は、図１３に示すように、遊技球流下阻止制御手段150を、阻止賞球排出制御手段220と、阻止貸出球排出制御手段221とから構成した点にある。
（阻止賞球排出装置200）
上記阻止賞球排出装置200は、図１４〜１７に示すように、賞球経路22を遮断するとともに、遊技球払出装置30から払い出された賞球としての遊技球を、当該賞球経路22外に排出するものである。
【０１５１】
具体的には、阻止賞球排出装置200は、図１４〜１７に示すように、次のパーツを有する。
（１）賞球経路22
（２）阻止賞球排出弁201
（３）阻止賞球排出弁駆動装置202
なお、阻止賞球排出装置200のパーツは、上記した（１）〜（３）に限定されない。
（賞球経路22）
賞球経路22は、図１６〜１７に示すように、賞球計数装置50の有る賞球計数経路24と、阻止賞球排出誘導路25とに二股に分岐している。そして、阻止賞球排出誘導路25は、図示しないが、機外につながっている。
（阻止賞球排出弁201）
阻止賞球排出弁201は、図１６〜１７に示すように、賞球計数装置50の上方にスライド可能に支持されている。
【０１５２】
そして、阻止賞球排出弁201は、図１６に示すように、賞球計数経路24側に位置すると、賞球計数装置50を開放するとともに、阻止賞球排出誘導片203により、阻止賞球排出誘導路25を閉塞する。このため、賞球経路22を流下する賞球は、賞球計数装置50に向かって流下する。
これに対し、阻止賞球排出弁201は、図１７に示すように、阻止賞球排出誘導路25側に位置すると、賞球計数装置50を閉塞するとともに、阻止賞球排出誘導片203も移動し、阻止賞球排出誘導路25を開放する。このため、賞球経路22を流下する賞球は、阻止賞球排出誘導路25を通って機外に排出される。
【０１５３】
すなわち、阻止賞球排出弁201は、賞球計数装置50の開閉動作とともに、阻止賞球排出誘導片203により、阻止賞球排出誘導路25の開閉動作を連動して動作可能に形成されている。
（阻止賞球排出弁駆動装置202）
阻止賞球排出弁駆動装置202は、図１６〜１７に示すように、阻止賞球排出弁201をスライドするためのものである。
【０１５４】
具体的には、阻止賞球排出弁駆動装置202には、図１６〜１７に示すように、例えばソレノイドを使用している。
なお、阻止賞球排出弁駆動装置202は、ソレノイドに限らず、モータ等を使用しても良い。
（阻止貸出球排出装置210）
前記阻止貸出球排出装置210は、図１８〜２１に示すように、遊技球払出装置30と貸出球計数装置60との間に位置し、電断検出手段140からの電断信号の入力を条件に、球貸経路23を遮断するとともに、遊技球払出装置30から払い出された貸出球としての遊技球を、当該球貸経路23外に排出するものである。
【０１５５】
具体的には、阻止貸出球排出装置210は、図１８〜２１に示すように、次のパーツを有する。
（１）球貸経路23
（２）阻止貸出球排出弁211
（３）阻止貸出球排出弁駆動装置212
なお、阻止貸出球排出装置210のパーツは、上記した（１）〜（３）に限定されない。
（球貸経路23）
球貸経路23は、図２０〜２１に示すように、貸出球計数装置60の有る貸出球計数経路26と、阻止貸出球排出誘導路27とに二股に分岐している。そして、阻止貸出球排出誘導路27は、図示しないが、機外につながっている。
（阻止貸出球排出弁211）
阻止貸出球排出弁211は、図２０〜２１に示すように、貸出球計数装置60の上方にスライド可能に支持されている。
【０１５６】
そして、阻止貸出球排出弁211は、図２０に示すように、貸出球計数経路26側に位置すると、貸出球計数装置60を開放するとともに、阻止貸出球排出誘導片213により、阻止貸出球排出誘導路27を閉塞する。このため、球貸経路23を流下する賞球は、貸出球計数装置60に向かって流下する。
これに対し、阻止貸出球排出弁211は、図２１に示すように、阻止貸出球排出誘導路27側に位置すると、貸出球計数装置60を閉塞するとともに、阻止貸出球排出誘導片213も移動し、阻止貸出球排出誘導路27を開放する。このため、球貸経路23を流下する賞球は、阻止貸出球排出誘導路27を通って機外に排出される。
【０１５７】
すなわち、阻止貸出球排出弁211は、貸出球計数装置60の開閉動作とともに、阻止貸出球排出誘導片213により、阻止貸出球排出誘導路27の開閉動作を連動して動作可能に形成されている。
（阻止貸出球排出弁駆動装置212）
阻止貸出球排出弁駆動装置212は、図２０〜２１に示すように、阻止貸出球排出弁211をスライドするためのものである。
【０１５８】
具体的には、阻止貸出球排出弁駆動装置212には、図２０〜２１に示すように、例えばソレノイドを使用している。
なお、阻止貸出球排出弁駆動装置212は、ソレノイドに限らず、モータ等を使用しても良い。
（阻止賞球排出制御手段220）
阻止賞球排出制御手段220は、電断検出手段140からの電断信号の入力を条件に、阻止賞球排出装置200の阻止賞球排出弁駆動装置202を駆動して、賞球を機外に排出するためのものである。
（阻止貸出球排出制御手段221）
阻止貸出球排出制御手段221は、電断検出手段140からの電断信号の入力を条件に、阻止貸出球排出装置210の阻止貸出球排出弁駆動装置212を駆動して、貸出球を機外に排出するためのものである。
（動作）
つぎに、上記した構成を有する遊技機10の動作について、次の場合に分けて以下に説明する。
【０１５９】
（１）賞球時
（２）球貸し時
（３）電断時
（賞球時）
（１）賞球必要個数を、図１３に示す賞球計数装置制御手段100（賞球必要個数カウンタ）に設定する。
【０１６０】
（２）賞球計数装置50にて計数を開始する。すなわち、賞球が、賞球計数装置50を通過するたびに、賞球計数装置制御手段100（賞球必要個数カウンタ）を「１」減算する。
（３）阻止賞球排出装置200の阻止賞球排出弁201を、図１６に示すように、賞球計数経路24側、すなわち賞球計数経路24を開放し、阻止賞球排出誘導路25を遮断する。
【０１６１】
（４）遊技球払出装置30の払出モータ（図示せず）を賞球必要個数分だけ駆動する。すなわち、遊技球払出制御手段120により、遊技球払出装置30の払出モータ（図示せず）を必要個数分だけ駆動したら、自動的に停止させる。
（５）遊技球払出装置30の払出モータ（図示せず）の駆動停止後、「５００ｍｓ」以内に賞球必要個数が「０」になったら、阻止賞球排出装置200の阻止賞球排出弁201を、図１７に示すように、阻止賞球排出誘導路25側、すなわち阻止賞球排出誘導路25を開放し、賞球計数経路24を遮断して、後述する（９）へ、ならない場合は次の（６）へ進む。
【０１６２】
（６）賞球必要個数が「０」でない場合は、遊技球払出装置30の払出モータ（図示せず）を１個払い出し分、駆動する。
（７）「５００ｍｓ」待って賞球計数装置50に通過が無い場合は、例えば「エラー」状態とし、通過があった場合は次の（８）へ進む。
（８）賞球必要個数が「０」ならば、阻止賞球排出装置200の阻止賞球排出弁201を、図１７に示すように、阻止賞球排出誘導路25側、すなわち阻止賞球排出誘導路25を開放し、賞球計数経路24を遮断して、次の（９）に進み、「０」以外ならば先の（６）へ戻る。
【０１６３】
（９）賞球計数装置50にもとづく計数を停止する。
（球貸し時）
（１）球貸し必要個数を、図１３に示す貸出球計数装置制御手段110（球貸し必要個数カウンタ）に設定する。
（２）貸出球計数装置60にて計数を開始する。すなわち、賞球が、貸出球計数装置60を通過するたびに、貸出球計数装置制御手段110（球貸し必要個数カウンタ）を「１」減算する。
【０１６４】
（３）阻止貸出球排出装置210の阻止貸出球排出弁211を、図２０に示すように、貸出球計数経路26側にする。
（４）経路切替装置40の切替弁41を、図１８に示すように、賞球経路22側、すなわち賞球経路22を遮断して、球貸経路23を開放する。
（５）遊技球払出装置30の払出モータ（図示せず）を球貸し必要個数分だけ駆動する。すなわち、すなわち、遊技球払出制御手段120により、遊技球払出装置30の払出モータ（図示せず）を必要個数分だけ駆動したら、自動的に停止させる。
【０１６５】
（６）球貸し必要個数が「０」でない場合は、遊技球払出装置30の払出モータ（図示せず）を１個払い出し分、駆動する。
（７）「５００ｍｓ」待って貸出球計数装置60に通過が無い場合は、例えば「エラー」状態とし、通過があった場合は次の（８）へ進む。
（８）球貸し必要個数が「０」ならば、阻止貸出球排出装置210の阻止貸出球排出弁211を、図２１に示すように、阻止貸出球排出誘導路27側、すなわち阻止貸出球排出誘導路27を開放し、貸出球計数経路26を遮断し、次の（９）に進み、「０」以外ならば先の（６）へ戻る。
【０１６６】
（９）経路切替装置40の切替弁41を、図１４に示すように、球貸経路23側、すなわち球貸経路23を遮断し、賞球経路22を開放する。
（１０）貸出球計数装置60にもとづく計数を停止する。
（停電発生時）
（１）阻止賞球排出装置200の阻止賞球排出弁201を、図１７に示すように、阻止賞球排出誘導路25側、すなわち阻止賞球排出誘導路25を開放し、賞球計数経路24を遮断する。
【０１６７】
（２）阻止貸出球排出装置210の阻止貸出球排出弁211を、図２１に示すように、阻止貸出球排出誘導路27側、すなわち阻止貸出球排出誘導路27を開放し、貸出球計数経路26を遮断する。
（３）経路切替装置40の切替弁41を、図１４に示すように、球貸経路23側、すなわち球貸経路23を遮断し、賞球経路22を開放する。
（第五の実施の形態）
つぎに、図２２を用いて、本発明の第五の実施の形態について、以下に説明する。
【０１６８】
本実施の形態の特徴は、図２２に示すように、第四の実施の形態の特徴点に加え、電源供給装置90に電断検出手段91を設けた点にある。
上記電断検出手段91は、例えば停電等により、電源供給装置90からの電源の供給が遮断されたことを検出し、電断信号を出力するためのものであり、電断信号は遊技制御装置70に送信される。
【０１６９】
本実施例によれば、電源供給装置90に電断検出手段91を設けることにより、図示しないが、電断時のバックアップ機能を有する複数の制御装置に対して、同一タイミングで電断か否かの判定を行うことが可能となる。このため、本実施例によれば、電断時における装置間の通信のタイムラグが減少し、電断復帰後の各装置のバックアップされた内容の相互関係が正確になるという利点がある。
（第六の実施の形態）
つぎに、図２７〜２８を用いて、本発明の第六の実施の形態について、以下に説明する。
【０１７０】
本実施の形態の特徴は、第一の実施例の図２に示す遊技球払出装置30を、図２７に示すように、次の二つの装置に分離独立させた点にある。
（１）賞球払出装置300
（２）球貸装置310
すなわち、第一の実施例の図２に示す遊技球経路20を、図２７に示すように、次の二つの経路に分離独立させている。
【０１７１】
（１）賞球流入路320
（２）貸出球流入路330
上記賞球流入路320には、図２７に示すように、上流側より、賞球払出装置300、賞球流下阻止装置340（図２８参照）の一例としての賞球経路遮断装置160、賞球計数装置50とを配置している。
【０１７２】
前記貸出球流入路330には、図２７に示すように、上流側より、球貸装置310、貸出球流下阻止装置350（図２８参照）の一例としての球貸経路遮断装置170、貸出球計数装置60とを配置している。
つぎに、図２８を用いて、遊技制御装置70について説明する。
上記遊技制御装置70の入力側には、図２８に示すように、次の装置がそれぞれ接続されている。
【０１７３】
（１）賞球計数装置50
（２）貸出球計数装置60
なお、遊技制御装置70の入力側に接続されている装置は、上記した（１）〜（２）に限定されない。
上記遊技制御装置70の出力側には、図２８に示すように、次の装置がそれぞれ接続されている。
【０１７４】
（１）賞球払出装置300
（２）球貸装置310
（３）賞球流下阻止装置340の一例としての賞球経路遮断装置160
（４）貸出球流下阻止装置350の一例としての球貸経路遮断装置170
なお、遊技制御装置70の出力側に接続されている装置は、上記した（１）〜（４）に限定されない。
【０１７５】
なお、遊技制御装置70には、図２８に示すように、電源供給装置90から電源が供給されている。
具体的には、遊技制御装置70は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、図２８に示すように、次の手段として機能する。
【０１７６】
（１）賞球計数装置制御手段100
（２）貸出球計数装置制御手段110
（３）賞球払出制御手段360
賞球払出制御手段360は、賞球払出装置300を制御するためのものである。
（４）球貸制御手段370
球貸制御手段370は、球貸装置310を制御するためのものである。
【０１７７】
（５）電断検出手段140
（６）賞球流下阻止制御手段380
賞球流下阻止制御手段380は、賞球流下阻止装置340を制御するためのものである。賞球流下阻止制御手段380には、図２８に示すように、賞球経路遮断制御手段151を含む。
【０１７８】
（７）貸出球流下阻止制御手段390
貸出球流下阻止制御手段390は、貸出球流下阻止装置350を制御するためのものである。貸出球流下阻止制御手段390には、図２８に示すように、球貸経路遮断制御手段152を含む。
なお、遊技制御装置70の手段は、上記した（１）〜（７）に限定されない。
（第七の実施の形態）
つぎに、図２９を用いて、本発明の第七の実施の形態について、以下に説明する。
【０１７９】
本実施の形態の特徴は、図２９に示すように、第六の実施の形態の特徴点に加え、電源供給装置90に電断検出手段91を設けた点にある。
上記電断検出手段91は、例えば停電等により、電源供給装置90からの電源の供給が遮断されたことを検出し、電断信号を出力するためのものであり、電断信号は遊技制御装置70に送信される。
【０１８０】
本実施例によれば、電源供給装置90に電断検出手段91を設けることにより、図示しないが、電断時のバックアップ機能を有する複数の制御装置に対して、同一タイミングで電断か否かの判定を行うことが可能となる。このため、本実施例によれば、電断時における装置間の通信のタイムラグが減少し、電断復帰後の各装置のバックアップされた内容の相互関係が正確になるという利点がある。
（第八の実施の形態）
つぎに、図３０を用いて、本発明の第八の実施の形態について、以下に説明する。
【０１８１】
本実施の形態の特徴は、図３０に示すように、第六の実施の形態の図２８に示す遊技制御装置70を、次の二つの装置に分離独立させた点にある。
（１）賞球制御装置400
（２）球貸制御装置410
上記賞球制御装置400の入力側には、図３０に示すように、次の装置がそれぞれ接続されている。
【０１８２】
（１）賞球計数装置50
なお、賞球制御装置400の入力側に接続されている装置は、上記した（１）に限定されない。
上記賞球制御装置400の出力側には、図３０に示すように、次の装置がそれぞれ接続されている。
【０１８３】
（１）賞球払出装置300
（２）賞球流下阻止装置340の一例としての賞球経路遮断装置160
なお、賞球制御装置400の出力側に接続されている装置は、上記した（１）〜（２）に限定されない。
なお、賞球制御装置400には、図３０に示すように、電源供給装置90から電源が供給されている。電源供給装置90には、電断検出手段91を含む。
【０１８４】
具体的には、賞球制御装置400は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、図３０に示すように、次の手段として機能する。
（１）賞球計数装置制御手段100
（２）賞球払出制御手段360
（３）賞球流下阻止制御手段380
賞球流下阻止制御手段380には、図３０に示すように、賞球経路遮断制御手段151を含む。
【０１８５】
なお、賞球制御装置400の手段は、上記した（１）〜（３）に限定されない。
前記球貸制御装置410の入力側には、図３０に示すように、次の装置がそれぞれ接続されている。
（１）貸出球計数装置60
なお、前記球貸制御装置410の入力側に接続されている装置は、上記した（１）に限定されない。
【０１８６】
上記前記球貸制御装置410の出力側には、図３０に示すように、次の装置がそれぞれ接続されている。
（１）球貸装置310
（２）貸出球流下阻止装置350の一例としての球貸経路遮断装置170
なお、前記球貸制御装置410の出力側に接続されている装置は、上記した（１）〜（２）に限定されない。
【０１８７】
なお、前記球貸制御装置410には、図３０に示すように、先に説明した共通の電源供給装置90から電源が供給されている。
具体的には、前記球貸制御装置410は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、図３０に示すように、次の手段として機能する。
【０１８８】
（１）貸出球計数装置制御手段110
（２）球貸制御手段370
（３）貸出球流下阻止制御手段390
貸出球流下阻止制御手段390には、図３０に示すように、球貸経路遮断制御手段152を含む。
【０１８９】
なお、前記球貸制御装置410の手段は、上記した（１）〜（３）に限定されない。
（第九の実施の形態）
つぎに、図３１〜３３を用いて、本発明の第九の実施の形態について、以下に説明する。
【０１９０】
本実施の形態の第一の特徴は、図２７〜２８に示す第六の実施例の特徴点に加え、図２７〜２８に示す賞球流下阻止装置340の一例としての賞球経路遮断装置160と、貸出球流下阻止装置350の一例としての球貸経路遮断装置170とを、図３１〜３３に示すように、次の二つの装置に代えた点である。
（１）賞球流下阻止装置340の一例としての阻止賞球排出装置200
（２）貸出球流下阻止装置350の一例としての阻止貸出球排出装置210
本実施の形態の第二の特徴は、本発明の第四の実施の形態の図１６に示す阻止賞球排出誘導路25と、図１７に示す阻止貸出球排出誘導路27とを、図３１に示すように、共通の排出路500とした点である。
【０１９１】
まず、賞球流入路320には、図３１に示すように、賞球払出装置300を配置し、その下流側には、二股に分かれた賞球分岐路510を配置している。
上記賞球分岐路510は、図３１に示すように、次の二つの経路に分岐している。
（１）賞球路520
（２）排出路500
上記賞球分岐路510には、図３１に示すように、阻止賞球排出装置200を配置している。
【０１９２】
前記賞球路520には、図３１に示すように、賞球計数装置50を配置している。
阻止賞球排出装置200は、非駆動状態では、図３１に示すように、賞球路520を遮断している。このため、賞球払出装置300から払い出された賞球は、排出路500を流下する。
これに対し、阻止賞球排出装置200が駆動されると、図３２に示すように、賞球路520が開放される。このため、賞球払出装置300から払い出された賞球は、賞球路520を流下して、賞球計数装置50により計数される。
【０１９３】
一方、貸出球流入路330には、図３１に示すように、球貸装置310を配置し、その下流側には、二股に分かれた貸出球分岐路530を配置している。
上記貸出球分岐路530は、図３１に示すように、次の二つの経路に分岐している。
（１）貸出路540
（２）排出路500
上記貸出球分岐路530には、図３１に示すように、阻止貸出球排出装置210を配置している。
【０１９４】
前記貸出路540には、図３１に示すように、貸出球計数装置60を配置している。
阻止貸出球排出装置210は、非駆動状態では、図３１に示すように、貸出路540を遮断している。このため、球貸装置310から払い出された貸出球は、排出路500を流下する。
【０１９５】
これに対し、阻止貸出球排出装置210が駆動されると、図３２に示すように、貸出路540を開放される。このため、球貸装置310から払い出された貸出球は、貸出路540を流下して、貸出球計数装置60により計数される。
前記排出路500は、図３１に示すように、賞球流入路320に共通している。なお、排出路を、賞球流入路320と、貸出球流入路330とに分離独立して計２本設けても良い。また、排出路を２本とした場合も、２本の排出路を途中で合流させて１本としても良い。
【０１９６】
つぎに、図３３を用いて、遊技制御装置70について説明する。
上記遊技制御装置70の入力側には、図３３に示すように、次の装置がそれぞれ接続されている。
（１）賞球計数装置50
（２）貸出球計数装置60
なお、遊技制御装置70の入力側に接続されている装置は、上記した（１）〜（２）に限定されない。
【０１９７】
上記遊技制御装置70の出力側には、図３３に示すように、次の装置がそれぞれ接続されている。
（１）賞球払出装置300
（２）球貸装置310
（３）賞球流下阻止装置340の一例としての阻止賞球排出装置200
（４）貸出球流下阻止装置350の一例としての阻止貸出球排出装置210
なお、遊技制御装置70の出力側に接続されている装置は、上記した（１）〜（４）に限定されない。
【０１９８】
なお、遊技制御装置70には、図３３に示すように、電源供給装置90から電源が供給されている。
具体的には、遊技制御装置70は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、図３３に示すように、次の手段として機能する。
【０１９９】
（１）賞球計数装置制御手段100
（２）貸出球計数装置制御手段110
（３）賞球払出制御手段360
（４）球貸制御手段370
（５）電断検出手段140
（６）賞球流下阻止制御手段380
賞球流下阻止制御手段380には、図３３に示すように、阻止賞球排出制御手段220を含む。
【０２００】
（７）貸出球流下阻止制御手段390
貸出球流下阻止制御手段390には、図３３に示すように、阻止貸出球排出制御手段221を含む。
なお、遊技制御装置70の手段は、上記した（１）〜（７）に限定されない。
（第十の実施の形態）
つぎに、図３４を用いて、本発明の第十の実施の形態について、以下に説明する。
【０２０１】
本実施の形態の特徴は、図３４に示すように、第九の実施の形態の特徴点に加え、電源供給装置90に電断検出手段91を設けた点にある。
上記電断検出手段91は、例えば停電等により、電源供給装置90からの電源の供給が遮断されたことを検出し、電断信号を出力するためのものであり、電断信号は遊技制御装置70に送信される。
（第十一の実施の形態）
つぎに、図３５を用いて、本発明の第十一の実施の形態について、以下に説明する。
【０２０２】
本実施の形態の特徴は、図３５に示すように、第九の実施の形態の図３３に示す遊技制御装置70を、次の二つの装置に分離独立させた点にある。
（１）賞球制御装置400
（２）球貸制御装置410
上記賞球制御装置400の入力側には、図３５に示すように、次の装置がそれぞれ接続されている。
【０２０３】
（１）賞球計数装置50
なお、賞球制御装置400の入力側に接続されている装置は、上記した（１）に限定されない。
上記賞球制御装置400の出力側には、図３５に示すように、次の装置がそれぞれ接続されている。
【０２０４】
（１）賞球払出装置300
（２）賞球流下阻止装置340の一例としての阻止賞球排出装置200
なお、賞球制御装置400の出力側に接続されている装置は、上記した（１）〜（２）に限定されない。
なお、賞球制御装置400には、図３５に示すように、電源供給装置90から電源が供給されている。電源供給装置90には、電断検出手段91を含む。
【０２０５】
具体的には、賞球制御装置400は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、図３５に示すように、次の手段として機能する。
（１）賞球計数装置制御手段100
（２）賞球払出制御手段360
（３）賞球流下阻止制御手段380
賞球流下阻止制御手段380には、図３５に示すように、阻止賞球排出制御手段220を含む。
【０２０６】
なお、賞球制御装置400の手段は、上記した（１）〜（３）に限定されない。
前記球貸制御装置410の入力側には、図３５に示すように、次の装置がそれぞれ接続されている。
（１）貸出球計数装置60
なお、前記球貸制御装置410の入力側に接続されている装置は、上記した（１）に限定されない。
【０２０７】
上記前記球貸制御装置410の出力側には、図３５に示すように、次の装置がそれぞれ接続されている。
（１）球貸装置310
（２）貸出球流下阻止装置350の一例としての阻止貸出球排出装置210
なお、前記球貸制御装置410の出力側に接続されている装置は、上記した（１）〜（２）に限定されない。
【０２０８】
なお、球貸制御装置410には、図３５に示すように、先に説明した共通の電源供給装置90から電源が供給されている。
具体的には、前記球貸制御装置410は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、図３５に示すように、次の手段として機能する。
【０２０９】
（１）貸出球計数装置制御手段110
（２）球貸制御手段370
（３）貸出球流下阻止制御手段390
貸出球流下阻止制御手段390には、図３５に示すように、阻止貸出球排出制御手段221を含む。
【０２１０】
なお、球貸制御装置410の手段は、上記した（１）〜（３）に限定されない。
【０２１１】
【発明の効果】
本発明は、以上のように構成されているので、以下に記載されるような効果を奏する。
（請求項１）
請求項１に記載の発明によれば、次のような効果を奏する。
【０２１２】
すなわち、請求項１に記載の発明によれば、電断発生時において、貸出球の貸し出しの確実な中止を実現することができる。
（請求項２）
請求項２に記載の発明によれば、上記した請求項１に記載の発明の効果に加え、次のような効果を奏する。
【０２１３】
すなわち、請求項２に記載の発明によれば、電断発生時において、貸出球の計数値と、実際に貸し出された貸出球の数とを一致させることができる。
（請求項３）
請求項３に記載の発明によれば、上記した請求項１又は請求項２に記載の発明の効果に加え、次のような効果を奏する。
【０２１４】
すなわち、請求項３に記載の発明によれば、電断復帰後においても、貸出球の計数値と、実際に貸し出された貸出球の数とを一致させることができる。
（請求項４）
請求項４に記載の発明によれば、上記した請求項１〜３のいずれか１項に記載の発明の効果に加え、次のような効果を奏する。
【０２１５】
すなわち、請求項４に記載の発明によれば、不正に貸出球が貸し出されるのを未然に防止することができるようにしたものである。
（請求項５）
請求項５に記載の発明は、上記した請求項１〜４のいずれか１項に記載の発明の効果に加え、次のような効果を奏する。
【０２１６】
すなわち、請求項５に記載の発明によれば、貸出球経路を遮断することで、貸出球としての遊技球の流下を阻止することができる。
（請求項６）
請求項６に記載の発明によれば、上記した請求項１〜５のいずれか１項に記載の発明の効果に加え、次のような効果を奏する。
【０２１７】
すなわち、請求項６に記載の発明によれば、貸出球としての遊技球を球貸経路外に排出することで、貸出球としての遊技球の流下を阻止することができる。
（請求項７）
請求項７に記載の発明によれば、上記した請求項１〜６のいずれか１項に記載の発明の効果に加え、次のような効果を奏する。
【０２１８】
すなわち、請求項７に記載の発明によれば、電断発生時において、貸出球の貸し出しに加え、賞球の払い出しの確実な中止を実現することができる。
（請求項８）
請求項８に記載の発明によれば、上記した請求項７に記載の発明の効果に加え、次のような効果を奏する。
【０２１９】
すなわち、請求項８に記載の発明によれば、貸出球の流下の阻止に加え、賞球経路を遮断することで、賞球としての遊技球の流下を阻止することができる。
（請求項９）
請求項９に記載の発明によれば、上記した請求項７又は請求項８に記載の発明の効果に加え、次のような効果を奏する。
【０２２０】
すなわち、請求項９に記載の発明によれば、貸出球の流下の阻止に加え、賞球としての遊技球を賞球経路外に排出することで、賞球としての遊技球の流下を阻止することができる。
（請求項１０）
請求項１０に記載の発明によれば、上記した請求項９に記載の発明の効果に加え、次のような効果を奏する。
【０２２１】
すなわち、請求項１０に記載の発明によれば、貸出球としての遊技球と、賞球としての遊技球とを共通の排出路に排出することで、経路を簡素化することができる。
（請求項１１）
請求項１１に記載の発明によれば、上記した請求項１〜１０のいずれか１項に記載の発明の効果に加え、次のような効果を奏する。
【０２２２】
すなわち、請求項１１に記載の発明によれば、電断検出手段を遊技制御装置に内蔵することができる。
（請求項１２）
請求項１２に記載の発明によれば、上記した請求項１〜１０のいずれか１項に記載の発明の効果に加え、次のような効果を奏する。
【０２２３】
すなわち、請求項１２に記載の発明によれば、電断検出手段を電源供給装置に内蔵することができる。
【図面の簡単な説明】
【図１】本発明の第一の実施の形態の一例を示し、遊技機の賞球・球貸機構の概略ブロック図である。
【図２】本発明の第一の実施の形態の一例を示し、賞球時の遊技機の賞球・球貸機構の概略断面図である。
【図３】図２に示す遊技球流下阻止装置の概略平面図である。
【図４】図２のIV−IV線に沿う概略断面図である。
【図５】本発明の第一の実施の形態の一例を示し、球貸し時の遊技機の賞球・球貸機構の概略断面図である。
【図６】図５の遊技球流下阻止装置の概略平面図である。
【図７】図５のVII−VII線に沿う概略断面図である。
【図８】本発明の第一の実施の形態の一例を示し、電断時の遊技機の賞球・球貸機構の概略断面図である。
【図９】図８の遊技球流下阻止装置の概略平面図である。
【図１０】図８のＸ−Ｘ線に沿う概略断面図である。
【図１１】本発明の第二の実施の形態の一例を示し、同図は遊技機の賞球・球貸機構の概略ブロック図である。
【図１２】本発明の第三の実施の形態の一例を示し、同図は遊技球流下阻止装置の概略平面図を示すものである。
【図１３】本発明の第四の実施の形態の一例を示し、同図は遊技機の賞球・球貸機構の概略ブロック図である。
【図１４】賞球時の遊技機の賞球・球貸機構の概略断面図である。
【図１５】図１４の賞球計数装置及び貸出球計数装置の概略平面図である。
【図１６】図１４のXVI−XVI線に沿う概略断面図である。
【図１７】図１６に対応し、阻止賞球排出弁が阻止賞球排出誘導路側に駆動された状態を示す断面図である。
【図１８】球貸し時の遊技機の賞球・球貸機構の概略断面図である。
【図１９】図１８の賞球計数装置及び貸出球計数装置の概略平面図である。
【図２０】図１８のXX−XX線に沿う概略断面図である。
【図２１】図２０に対応し、阻止貸出球排出弁が阻止貸出球排出誘導路側に駆動された状態を示す断面図である。
【図２２】本発明の第五の実施の形態の一例を示すものであり、同図は遊技機の賞球・球貸機構の概略ブロック図である。
【図２３】本発明の第一の実施の形態の賞球処理を説明するためのフローチャートである。
【図２４】図２３の賞球払出許可確認を説明するためのフローチャートである。
【図２５】本発明の第一の実施の形態の貸出処理を説明するためのフローチャートである。
【図２６】図２５の払出許可確認を説明するためのフローチャートである。
【図２７】本発明の第六の実施の形態の一例を示すものであり、同図は遊技機の賞球機構と球貸機構との概略断面図である。
【図２８】図２７の遊技機の賞球・球貸機構の概略ブロック図である。
【図２９】本発明の第七の実施の形態の一例を示すものであり、同図は遊技機の賞球・球貸機構の概略ブロック図である。
【図３０】本発明の第八の実施の形態の一例を示すものであり、同図は遊技機の賞球・球貸機構の概略ブロック図である。
【図３１】本発明の第九の実施の形態の一例を示すものであり、同図は遊技機の賞球機構と球貸機構との概略断面図である。
【図３２】図３１の阻止賞球排出装置と阻止貸出球排出装置とをそれぞれ切り替えた状態を示す概略断面図である。
【図３３】図３１〜３２の遊技機の賞球・球貸機構の概略ブロック図である。
【図３４】本発明の第十の実施の形態の一例を示すものであり、同図は遊技機の賞球・球貸機構の概略ブロック図である。
【図３５】本発明の第十一の実施の形態の一例を示すものであり、同図は遊技機の賞球・球貸機構の概略ブロック図である。
【符号の説明】
（第一の実施の形態）
10  遊技機                    20  遊技球経路
21  分岐路                    22  賞球経路
23  球貸経路                  30  遊技球払出装置
31  スプロケット              40  経路切替装置
41  切替弁                    50  賞球計数装置
60  貸出球計数装置            70  遊技制御装置
80  遊技球流下阻止装置        90  電源供給装置
100  賞球計数装置制御手段     110  貸出球計数装置制御手段
120  遊技球払出制御手段       130  経路切替制御手段
140  電断検出手段             150  遊技球流下阻止制御手段
151  賞球経路遮断制御手段     152  球貸経路遮断制御手段
160  賞球経路遮断装置         161  賞球止めシャッター
162  賞球止めシャッター駆動装置     170  球貸経路遮断装置
171  貸出球止めシャッター     172  貸出球止めシャッター駆動装置
（第二・第五・第七・第八・第十・第十一の実施の形態）
91  電断検出手段
（第三の実施の形態）
180  共通駆動装置
（第四の実施の形態）
24  賞球計数経路              25  阻止賞球排出誘導路
26  貸出球計数経路            27  阻止貸出球排出誘導路
200  阻止賞球排出装置         201  阻止賞球排出弁
202  阻止賞球排出弁駆動装置   203  阻止賞球排出誘導片
210  阻止貸出球排出装置       211  阻止貸出球排出弁
212  阻止貸出球排出弁駆動装置       213  阻止貸出球排出誘導片
220  阻止賞球排出制御手段     221  阻止貸出球排出制御手段
（第六・第七の実施の形態）
300  賞球払出装置             310  球貸装置
320  賞球流入路               330  貸出球流入路
340  賞球流下阻止装置         350  貸出球流下阻止装置
360  賞球払出制御手段         370  球貸制御手段
380  賞球流下阻止制御手段     390  貸出球流下阻止制御手段
（第八の実施の形態）
400  賞球制御装置             410  球貸制御装置
（第九の実施の形態）
500  排出路                   510  賞球分岐路
520  賞球路                   530  貸出球分岐路
540  貸出路
【図１】
0004394796.tif 000002
【図２】
0004394796.tif 000003
【図３】
0004394796.tif 000004
【図４】
0004394796.tif 000005
【図５】
0004394796.tif 000006
【図６】
0004394796.tif 000007
【図７】
0004394796.tif 000008
【図８】
0004394796.tif 000009
【図９】
0004394796.tif 000010
【図１０】
0004394796.tif 000011
【図１１】
0004394796.tif 000012
【図１２】
0004394796.tif 000013
【図１３】
0004394796.tif 000014
【図１４】
0004394796.tif 000015
【図１５】
0004394796.tif 000016
【図１６】
0004394796.tif 000017
【図１７】
0004394796.tif 000018
【図１８】
0004394796.tif 000019
【図１９】
0004394796.tif 000020
【図２０】
0004394796.tif 000021
【図２１】
0004394796.tif 000022
【図２２】
0004394796.tif 000023
【図２３】
0004394796.tif 000024
【図２４】
0004394796.tif 000025
【図２５】
0004394796.tif 000026
【図２６】
0004394796.tif 000027
【図２７】
0004394796.tif 000028
【図２８】
0004394796.tif 000029
【図２９】
0004394796.tif 000030
【図３０】
0004394796.tif 000031
【図３１】
0004394796.tif 000032
【図３２】
0004394796.tif 000033
【図３３】
0004394796.tif 000034
【図３４】
0004394796.tif 000035
【図３５】
0004394796.tif 000036